(57)【要約】【課題】この発明は、機械室から主ロープに簡易に装着でき、かつ下げられる主ロープと既設の主ロープとの絡みを確実に防止でき、主ロープの取り替え作業を効率的に行うことができるエレベータの主ロープ絡み防止治具を得る。【解決手段】張設されている２本の主ロープおよび垂下される取り替え用の主ロープに装着される３つのロープガイド２が三角形の頂点に位置する状態に連結部材１０により連結一体化されている。ロープガイド２は、主ロープが出入り可能なスリット４を有する欠円形状の筒状体に作製され、スリット４を通して主ロープに装着され、主ロープの延在方向に移動可能に構成された摺動体３と、摺動体３の外周面に形成された雄ねじ部５に螺合されて摺動体３のスリットを開閉するナット部材８と、を有する。【選択図】図１
2012106859.tif 000002
【特許請求の範囲】
【請求項１】
エレベータの複数本の主ロープを取り替える際に用いられるエレベータの主ロープ絡み防止治具であって、
それぞれ、張設されている２本の主ロープおよび垂下される取り替え用の主ロープに装着される３つのロープガイドと、
３つの上記ロープガイドが三角形の頂点に位置するように該ロープガイドを連結一体化する連結部材と、を備え、
上記ロープガイドは、上記主ロープが出入り可能なスリットを有する欠円形状の筒状体に作製され、該スリットを通して該主ロープに装着され、該主ロープの延在方向に移動可能に構成された摺動体と、上記摺動体のスリットを開閉するスリット開閉手段と、を有することを特徴とするエレベータの主ロープ絡み防止治具。
【請求項２】
上記スリット開閉手段は、上記摺動体の外周面に形成された雄ねじ部と、上記雄ねじ部に螺合されて上記摺動体に装着される欠円形状のナット部材と、から構成されている特徴とする請求項１記載のエレベータの主ロープ絡み防止治具。
【請求項３】
上記垂下される取り替え用の主ロープの先端に装着されるロープシャックルに係止される外れ防止フックが上記ロープガイド又は上記連結部材に装着されていることを特徴とする請求項１又は請求項２記載のエレベータの主ロープ絡み防止治具。
【発明の詳細な説明】
【技術分野】
【０００１】
この発明は、エレベータの主ロープの取り替え作業時に、主ロープの絡みを防止する主ロープ絡み防止治具に関するものである。
【背景技術】
【０００２】
従来のエレベータの主ロープ絡み防止治具は、昇降路の側壁に上下方向に延設されたガイドレールに案内されて上下方向に移動可能にガイドレールに取り付けられる案内部と、垂下される主ロープに係着されるロープガイドと、案内部とロープガイドとを連結する連結部と、を備えていた（例えば、特許文献１参照）。
【０００３】
そして、主ロープの取り替え作業時には、まず、乗りかごをその上部が最上階乗り場の床面とほぼ一致する位置で停止させ、新しい主ロープを、最上階の乗り場から乗りかごの上部に送り出す。そして、送り出された主ロープをかご吊り車に巻き付けた後、機械室に送る。ついで、機械室に送られてきた主ロープを駆動綱車およびそらせ車に巻き付け、その先端にロープシャックルを装着して、昇降路内に下げる。そこで、作業者が、乗りかごの上部から案内部をガイドレールに取り付け、さらに下げられた主ロープにロープガイドを係着する。その後、作業者は、機械室に移動し、機械室から主ロープを降ろすことになる。
【先行技術文献】
【特許文献】
【０００４】
【特許文献１】特開平０９−１０００７８号公報
【発明の概要】
【発明が解決しようとする課題】
【０００５】
従来のエレベータの主ロープ絡み防止治具を用いて主ロープの取り替え作業を行う場合、作業者が最上階付近に停止している乗りかごの上部に乗って、案内部をガイドレールに取り付ける必要があった。しかし、ガイドレールは昇降路の側壁に延設されているので、乗りかごから離れており、作業効率が低下するという課題があった。
【０００６】
この発明は、上記課題を解決するためになされたもので、機械室にて主ロープに簡易に装着でき、かつ下げられる主ロープと既設の主ロープとの絡みを確実に防止でき、主ロープの取り替え作業を効率的に行うことができるエレベータの主ロープ絡み防止治具を得ることを目的とする。
【課題を解決するための手段】
【０００７】
この発明によるエレベータの主ロープ絡み防止治具は、それぞれ、張設されている２本の主ロープおよび垂下される取り替え用の主ロープに装着される３つのロープガイドと、３つの上記ロープガイドが三角形の頂点に位置するように該ロープガイドを連結一体化する連結部材と、を備え、上記ロープガイドは、上記主ロープが出入り可能なスリットを有する欠円形状の筒状体に作製され、該スリットを通して該主ロープに装着され、該主ロープの延在方向に移動可能に構成された摺動体と、上記摺動体のスリットを開閉するスリット開閉手段と、を有する。
【発明の効果】
【０００８】
この発明では、３つのロープガイドが三角形の頂点に位置する状態で連結部材により一体化されているので、取り替え用の主ロープの巻き癖より当該主ロープに装着されているロープガイドを振れさせるよう作用する力は、連結部材および残る２つのロープガイドを介して張設されている２本の主ロープで受けられる。これにより、巻き癖に起因する取り替え用の主ロープに装着されているロープガイドの振れが抑えられるので、取り替え用の主ロープが真っ直ぐ下降し、張設されている主ロープに絡みつくようなことが回避され、主ロープの取り替え作業を効率的に行うことができる。
また、主ロープ絡み防止治具は機械室で取り替え用の主ロープおよび張設されている主ロープに装着できるので、主ロープの取り替え作業が向上される。
【図面の簡単な説明】
【０００９】
【図１】この発明の一実施の形態に係るエレベータの主ロープ絡み防止治具を示す斜視図である。
【図２】この発明の一実施の形態に係るエレベータの主ロープ絡み防止治具を示す上面図である。
【図３】この発明による主ロープ絡み防止治具を用いた主ロープの取り替え方法を説明する図である。
【図４】この発明による主ロープ絡み防止治具を主ロープに装着した状態を説明する斜視図である。
【図５】この発明による主ロープ絡み防止治具を主ロープに装着した状態を説明する横断面図である。
【発明を実施するための形態】
【００１０】
図１はこの発明の一実施の形態に係るエレベータの主ロープ絡み防止治具を示す斜視図、図２はこの発明の一実施の形態に係るエレベータの主ロープ絡み防止治具を示す上面図である。
【００１１】
図１および図２において、主ロープ絡み防止治具１は、三角形の頂点に位置するように配置される３つのロープガイド２と、３つのロープガイド２間を連結する連結部材１０と、ロープガイド２に取り付けられる外れ防止フック１１と、を備えている。
【００１２】
ロープガイド２は、筒状体の周壁の一部を軸方向に切り欠いたスリット４を有する欠円形状に形成され、雄ねじ部５が外周面に形成された摺動体３と、円環状のナットの周壁の一部を軸方向に切り欠いたスリット７を有する欠円形状に形成され、摺動体３の雄ねじ部５に螺合され、スリット７を摺動体３のスリット４に一致させた状態で摺動体３に溶接などにより固着されたストッパ６と、円環状のナットの周壁の一部を軸方向に切り欠いたスリット９を有する欠円形状に形成され、摺動体３の雄ねじ部５に螺合され、ストッパ６に接する状態で摺動体３のスリット４を塞口するナット部材８と、を備えている。
【００１３】
なお、スリット４，７，９は、後述する主ロープ２７が出入りできる幅を有している。また、摺動体３の外周面に形成された雄ねじ部５およびナット部材８がスリット開閉手段を構成する。また、ロープガイド２は、エレベータの主ロープ２７を取り囲むように装着されて主ロープ２７に接しながら主ロープ２７の延在方向に移動することから、耐摩耗性を考慮してステンレス鋼などの金属材料で作製することが好ましい。
【００１４】
３つのナット部材８は、その軸心と直交する同一平面上の三角形の頂点に、軸心を互いに平行として、かつスリット９を三角形の外側に向けて配置され、連結部材１０により連結一体化されている。そして、摺動体３が各ナット部材８に螺合され、主ロープ絡み防止治具１が構成される。ここで、連結部材１０は、ロープガイド２のナット部材８を一体化でき、かつ主ロープ２７の巻き癖によりロープガイド２に作用する力を受ける剛性を有していれば良く、材料は特に限定されない。
外れ防止フック１１は、フック部１２を紐１３の一端に固着して構成され、紐１３の他端をロープガイド２のナット部材８に固着される。
【００１５】
つぎに、主ロープ絡み防止治具１を用いた主ロープの取り替え方法を図３乃至図５を参照しつつ説明する。図３はこの発明による主ロープ絡み防止治具を用いた主ロープの取り替え方法を説明する図、図４はこの発明による主ロープ絡み防止治具を主ロープに装着した状態を説明する斜視図、図５はこの発明による主ロープ絡み防止治具を主ロープに装着した状態を説明する横断面図である。
【００１６】
エレベータは、図３に示されるように、昇降路２１と、昇降路２１の上部に設けられた機械室２２と、昇降路２１の側壁に上下方向に延設されたかご用ガイドレール（図示せず）に案内されて昇降路２１内に昇降可能に配設された乗りかご２３と、昇降路２１の側壁に上下方向に延設された釣り合い重り用ガイドレール（図示せず）に案内されて昇降路２１内に昇降可能に配設された釣り合い重り２４と、機械室２２に設置された駆動綱車２５およびそらせ車２６に巻き掛けられて昇降路２１内に垂下され、乗りかご２３が一端に固着され、釣り合い重り２４が他端に固着された主ロープ２７と、を備えている。ここで、乗りかご２３と対合い重り２４は、複数本の主ロープ２７により連結されている。
【００１７】
まず、乗りかご２３が，その上部が最上階の床面に略一致する位置で停止される。釣り合い重り２４は、昇降路２１のピット２１ａ内に位置し、角材２８に載せられている。そこで、１本の既設の主ロープ２７が取り外される。
ついで、コイル状に巻かれた新しい主ロープ２７が最上階に運ばれる。そして、新しい取り替え用の主ロープ２７が最上階から乗りかご２３の上に送り出され、さらに乗りかご２３の上から機械室２２に送られる。機械室２２では、取り替え用の主ロープ２７を駆動綱車２５およびそらせ車２６に巻き掛けた後、その先端にロープシャックル２９を装着する。
【００１８】
ついで、各摺動体３を回してスリット４をナット部材８のスリット９に一致させる。そして、既設の張設されている主ロープ２７のそれぞれをスリット４，９を通して摺動体３内に導き入れ、ストッパ６がナット部材８に接するまで摺動体３を回し、摺動体３をナット部材８に固定する。このようにして、２本の張設されている主ロープ２７のそれぞれにロープガイド２を装着する。ついで、取り替え用の主ロープ２７の先端側をスリット４，９を通して摺動体３内に導き入れ、ストッパ６がナット部材８に接するまで摺動体３を回し、摺動体３とナット部材８とを固定する。このようにして、図４および図５に示されるように、垂下される取り替え用の主ロープ２７にロープガイド２を装着する。さらに、フック部１２をロープシャックル２９に装着する。
【００１９】
ついで、取り替え用の主ロープ２７を機械室２２から昇降路２１内に下げると、ロープガイド２がロープシャックル２９に当たり、主ロープ絡み防止治具１が取り替え用の主ロープ２７の先端に保持される。そこで、最上階から取り替え用の主ロープ２７を送り出しつつ、取り替え用の主ロープ２７を釣り合い重り２４の位置まで降ろす。このとき、２つのロープガイド２の摺動体３は張設されている主ロープ２７を摺動しつつ下降し、主ロープ絡み防止治具１は略水平状態を保って下降する。
【００２０】
取り替え用の主ロープ２７が釣り合い重り２４の位置まで下降すると、フック部１２をロープシャックル２９から外し、各摺動体３を回してスリット４，９が一致する状態とし、張設されている主ロープ２７および取り替え用の主ロープ２７から主ロープ絡み防止治具１を取り外す。そして、ロープシャックル２９を釣り合い重り２４に取り付ける。
ついで、最上階で、取り替え用の主ロープ２７の長さを確認して切断し、ロープシャックル２９を切断端に装着し、乗りかご２４に取り付け、１本の主ロープ２７の取り替え作業を終了する。
【００２１】
同様にして、残る既設の主ロープ２７を取り替え用の主ロープ２７に取り替え、主ロープ２７の取り替え作業が完了する。ここでは、２つのロープガイド２は、既設の主ロープ２７および取り替えられた主ロープ２７から任意の２つの張設されている主ロープ２７に装着される。
【００２２】
一般に、巻き癖が取り替え用の主ロープ２７に残っており、取り替え用の主ロープ２７の下降時に、取り替え用の主ロープ２７に装着されたロープガイド２を振らすように作用する。このとき、ロープガイド２が１つの場合には、取り替え用の主ロープ２７に装着されたロープガイド２が振れて、取り替え用の主ロープ２７が真っ直ぐ下降せず、張設されている主ロープ２７に絡みついてしまう。また、ロープガイド２が２つの場合には、取り替え用の主ロープ２７に装着されたロープガイド２が、張設されている主ロープ２７に装着されているロープガイド２を中心として回転し、張設されている主ロープ２７に絡みついてしまう。主ロープ２７の絡みを解きほぐすには多大な時間と労力を要し、主ロープ２７の取り替え作業性が悪化する。また、ロープガイド２の振れは、昇降路２１内に設置されている機器との接触を誘発し、機器や主ロープ２７を損傷させることにつながる。
【００２３】
この発明によれば、３つのロープガイド２が三角形の頂点に位置する状態で連結部材１０により連結一体化されている。そこで、巻き癖により取り替え用の主ロープ２７に装着されたロープガイド２を振らす力は、連結部材１０および他の２つのロープガイド２を介して、張設されている２本の主ロープ２７に受けられるので、取り替え用の主ロープ２７に装着されたロープガイド２の振れや回転が阻止される。これにより、取り替え用の主ロープ２７が真っ直ぐ下降し、張設されている主ロープ２７に絡み付くような事態が回避され、主ロープ２７の取り替えを効率的に行うことができる。また、ロープガイド２の振れがなくなるので、昇降路２１内に設置されている機器との接触が回避され、機器や主ロープ２７の損傷の発生を抑えることができる。
【００２４】
ロープガイド２が、筒状体の周壁の一部を軸方向に切り欠いたスリット４を有する欠円形状に形成され、雄ねじ部５が外周面に形成された摺動体３と、円環状のナットの周壁の一部を軸方向に切り欠いたスリット９を有する欠円形状に形成され、摺動体３の雄ねじ部５に螺合されるナット部材８と、から構成されているので、主ロープ絡み防止治具１を簡易な構成で作製でき、低コスト化が図られる。
【００２５】
円環状のナットの周壁の一部を軸方向に切り欠いたスリット７を有する欠円形状に形成されたストッパ６が、摺動体３の雄ねじ部５に螺合され、スリット７を摺動体３のスリット４に一致させた状態で摺動体３に固着されている。また、雄ねじ部５に螺合されたナット部材８がストッパ６に接する状態で摺動体３のスリット４を塞口するように構成されている。そこで、雄ねじ部５に螺合されたナット部材８をストッパ６に接する状態まで回すだけで、ロープガイド２の主ロープ２７からの外れが確実に防止できる。
【００２６】
ロープシャックル２９に係止される外れ防止フック１１がロープガイド２に装着されているので、主ロープ２７の取り替え作業性中での主ロープ絡み防止治具１の落下を確実になくすことができる。
【００２７】
ここで、スリット開閉手段が摺動体３の外周面に形成された雄ねじ部５およびナット部材８により構成されているものとしているが、スリット開閉手段はこの構成に限定されるものではない。スリット開閉手段は、摺動体のスリットを開閉できる構成であればよく、例えばスリットを開閉する扉を摺動体の外周面に蝶番を介して回動可能に取り付け、閉じた状態の扉を保持するロック機構を付加してもよい。
【００２８】
また、ロープガイド２に取り付けられる外れ防止フック１１がロープガイド２のナット部材８に取り付けられているものとしているが、取り替え用の主ロープ２７に装着されるロープガイド２は３つのロープガイド２のいずれでもよいので、外れ防止フック１１は連結部材１０に取り付けることが好ましい。
また、連結部材１０が３つのナット部材８を連結するものとしているが、連結部材１０は３つの摺動体３を連結してもよい。
【００２９】
また、３つのロープガイド２が三角形の頂点に位置するように配置されるものとしているが、ロープガイド２の軸心間の間隔を既設の主ロープ２７の軸心間の間隔に一致させることが好ましい。この場合、ロープガイド２が張設されている主ロープ２７に沿って滑らかに下降し、取り替え用の主ロープ２７を安定して降ろすことができる。
また、主ロープ２７が駆動綱車２５およびそらせ車２６に巻き掛けられて乗りかご２３および釣り合い重り２４をつるべ式に支持する１：１ローピング方式のエレベータについて説明しているが、本発明は、他のローピング方式のエレベータに適用しても、同様の効果を奏する。
【符号の説明】
【００３０】
１  主ロープ絡み防止治具、２  ロープガイド、３  摺動体、４  スリット、５  雄ねじ部（スリット開閉手段）、８  ナット部材（スリット開閉手段）、１０  連結部材、１１  外れ防止フック、２７  主ロープ、２９  ロープシャックル。
【図１】
2012106859.tif 000003
【図２】
2012106859.tif 000004
【図３】
2012106859.tif 000005
【図４】
2012106859.tif 000006
【図５】
2012106859.tif 000007